(57)【要約】【課題】立体駐車装置内部に人が閉じ込められてしまった場合に、速やかに救出することのできる立体駐車装置の緊急連絡装置を提供すること。【解決手段】立体駐車装置１０の入出庫階１５内部に備えられた非常釦２３と、入出庫階１５の扉２２の閉状態を検出する扉閉検出器２９と、非常釦２３と扉閉検出器２９とからの信号がともに入力されると信号を発信する自動通報器２５と、自動通報器２５からの信号をアンテナ２８を介して通信回線に接続して緊急連絡先へ送信する回線接続器２６と、を備えた。【選択図】図１
2019027095.tif 000002
【特許請求の範囲】
【請求項１】
立体駐車装置の入出庫階内部に備えられた非常釦と、入出庫階の扉の閉状態を検出する扉閉検出器と、前記非常釦と前記扉閉検出器とからの信号がともに入力されると信号を発信する自動通報器と、該自動通報器からの信号をアンテナを介して通信回線に接続して緊急連絡先へ送信する回線接続器と、を備えたことを特徴とする立体駐車装置の緊急連絡装置。
【請求項２】
前記非常釦と前記扉閉検出器と前記自動通報器と前記回線接続器とへ電力を供給するバッテリーを備えたことを特徴とする請求項１に記載の立体駐車装置の緊急連絡装置。
【発明の詳細な説明】
【技術分野】
【０００１】
本発明は、立体駐車装置の緊急連絡装置に関し、詳しくは駐車装置内部に人が閉じこめられた場合の緊急連絡装置に関する。
【背景技術】
【０００２】
立体駐車装置は、スペースの少ない土地に多数の車両を効率よく駐車できる駐車設備として住宅密集地等において広く利用されており、利用する土地の広狭や経済性などを考慮した種々の構造のものが提供されている。一般的に立体駐車装置には、一箇所または複数箇所に入出庫スペースが設けられており、駐車する車両は自走により入出庫スペースへの出入りを行う。入出庫スペースと駐車スペースとの間には、車両を搬送する搬送装置を備えており、入出庫スペースにおいて搬送装置上に車両を搭載し、所定の駐車スペースへと車両を搬送して格納する。入出庫スペースの入出庫口には、外部との空間を遮断する扉が設けられており、立体駐車装置が動作するときには扉を閉鎖して人が装置内へ進入しないようになっている。立体駐車装置外部の扉近傍には立体駐車装置の運転を操作する運転操作盤が設けられており、これを駐車装置の管理人あるいは車両の運転者自身が操作することにより、扉の開閉や搬送装置の動作が行われる。
【０００３】
近年、立体駐車装置は、商業施設での利用に加えてオフィスビルやマンション等の集合住宅に併設されて利用されることも多く、この場合には、駐車装置の管理人が常駐することなく、特定の利用者自身が立体駐車装置の運転操作を行うことが多い。しかしながら、このように専門の管理人の操作によらず、利用者自身の操作により立体駐車装置を動作させる場合には、利用者の注意不足や確認不足により、立体駐車装置内に他の人が取り残された状態で扉が閉じられてしまう可能性がある。例えば、出庫時には利用者が車両を運転して入出庫スペースから退出し、この後、立体駐車装置の運転操作を行うため、他の人が立体駐車装置内に取り残されることはほとんどない。これに対して入庫時には、同乗者を乗せたまま入出庫スペースに進入し、この後同乗者の退出を確認しないまま運転操作を行うと、同乗者が立体駐車装置内に閉じこめられてしまうといった可能性がある。
【０００４】
このようなことから従来、立体駐車装置内の人の存在を確認する方法として、光電センサにより人を検知する技術（例えば、特許文献１参照）、撮像装置により画像を撮像しこれを画像処理して検知する技術（例えば、特許文献２参照）、マイクロ波を照射してドップラーセンサにより検知する技術（例えば、特許文献３参照）、等が知られており、これらにより人の存在が検知されると立体駐車装置の運転ができないようにしている。また、駐車場内で生じる音を集音し、この音を判定することにより駐車場内に人が閉じ込められていることを検知する技術も知られている（例えば、特許文献４参照）。
【先行技術文献】
【特許文献】
【０００５】
【特許文献１】特開平５−５９８３９号公報
【特許文献２】特開２００２−１６７９９６号公報
【特許文献３】特開平９−２２８６７９号公報
【特許文献４】特開平６−２５７３１５号公報
【発明の概要】
【発明が解決しようとする課題】
【０００６】
上記の従来提案された技術は、各種センサを極力死角のないように配置して人の存在を検知するようにしたものであるが、センサの故障や検知不良等により人の存在を検知できない状態となる事態も少なからず想定され、この場合には、前述したように人が立体駐車装置内部に閉じ込められてしまう可能性がある。そして、このような場合には、立体駐車装置内部からは立体駐車装置の運転を行うことができないため、次の利用者等が運転操作盤を操作するまでは扉が開かないという事態を生じる。
【０００７】
本発明は、このような事情に鑑みてなされたものであって、立体駐車装置内部に人が閉じ込められてしまった場合に、速やかに救出することのできる立体駐車装置の緊急連絡装置を提供することを目的とする。
【課題を解決するための手段】
【０００８】
上記課題を解決するために請求項１の発明は、立体駐車装置の入出庫階内部に備えられた非常釦と、入出庫階の扉の閉状態を検出する扉閉検出器と、前記非常釦と前記扉閉検出器とからの信号がともに入力されると信号を発信する自動通報器と、該自動通報器からの信号をアンテナを介して通信回線に接続して緊急連絡先へ送信する回線接続器と、を備えたことを特徴としている。
【０００９】
また、請求項２の発明は、前記非常釦と前記扉閉検出器と前記自動通報器と前記回線接続器とへ電力を供給するバッテリーを備えたことを特徴としている。
【発明の効果】
【００１０】
本発明によれば、立体駐車装置の内部に取り残された人は、簡単な操作により緊急連絡先へ情報を発信でき、また、各機器類は停電時においても動作することができる。
【図面の簡単な説明】
【００１１】
【図１】立体駐車装置の概略を示す側面図
【図２】立体駐車装置の概略を示す正面図
【図３】入出庫階の平面図
【発明を実施するための最良の形態】
【００１２】
以下、本発明の具体的な実施の形態を図面を参照して説明する。図１及び図２は、立体駐車装置の概略を示す側面図及び正面図であり、本説明においては、具体例としてエレベータ式立体駐車装置を示して説明を行う。立体駐車装置１０の内部には、中央を上下に貫通する昇降路１１が形成されており、この昇降路１１を昇降可能に昇降リフト１２を設けている。昇降リフト１２は、車両１９を搭載する搬器１３の四隅にワイヤロープ１４を連結し、このワイヤロープ１４を立体駐車装置１０の上部に設けた巻き上げ装置（図示せず）により、巻き上げ又は繰り出しすることにより搬器１３を昇降駆動するようにしたものである。
【００１３】
昇降路１１の両側方には、複数の駐車室１７が上下多段に形成されており、各駐車室１７には、それぞれ車両１９を搭載するためのパレット１８を備えている。この立体駐車装置１０においては、地上１階部分を車両１９の入出庫階１５としており、車両１９の入退出方向１６は、搬器１３の長手方向に対して直交する方向に設定されている。車両１９が格納されていない何れかの駐車室１７にある空のパレット１８は、搬器１３上へスライド（横行）させられた後、搬器１３とともに入出庫階１５に降下して停止する。入出庫階１５の下方には、パレット１８を旋回して向きを変えるパレット旋回装置２０を備えており、入出庫階１５に到着したパレット１８は、このパレット旋回装置２０により９０°旋回させられて、その長手方向が車両１９の入退出方向１６となるように方向転換して待機する。
【００１４】
車両１９の入庫時には、車両１９が自走してパレット１８上へと乗り込んだ後、車両１９及びパレット１８は、パレット旋回装置２０により９０°旋回させられて搬器１３上に載置される。そしてこの後搬器１３は、元の駐車室１７の位置、すなわち、パレット１８を取り出して空になった駐車室１７まで車両１９及びパレット１８を搬送し、この後パレット１８ごと車両１９を横行させて格納する。車両１９の出庫時は、これと逆の動作であり、車両１９が格納された駐車室１７まで空の搬器１３が移動した後、駐車室１７からパレット１８および車両１９を搬器１３上へ横行させる。この後、搬器１３が下降して入出庫階１５に到着すると、車両１９及びパレット１８がパレット旋回装置２０により９０°旋回させられ、運転者が車両１９に乗り込んで車両１９を運転して立体駐車装置１０から退出する。
【００１５】
図３は、入出庫階１５の平面図である。入出庫階１５の出入り口には、引き戸式の扉２２を備えており、扉２２近傍の外壁には、運転操作盤２１を備えている。運転操作盤２１には、入出庫を選択する釦類やタッチパネル等を備えており、利用者が運転操作盤２１を操作することにより立体駐車装置１０が作動する。入庫時には、利用者は車両１９を扉２２の前方で車両１９を停車させ、運転操作盤２１を操作すると扉２２が開いて車両１９の進入が可能になる。次いで、利用者が車両１９を運転して入出庫階１５の所定位置に車両１９を停車させた後、利用者が退出して運転操作盤２１を操作すると、扉２２が閉じた後にパレット旋回装置２０および搬器１３が動作して所定の駐車室１７に車両１９が格納される。出庫時は、立体駐車装置１０の扉２２は閉じられた状態であり、この状態で利用者は車両１９が格納された駐車室１７の指定や装置の運転開始等の操作を運転操作盤２１にて行う。車両１９が駐車室１７から運搬されて入出庫階１５にて出庫可能な状態になると、扉２２が自動的に開いた後、利用者が内部へ入構し車両１９を運転して退出する。その後利用者は、一旦車両１９を停車させ、運転操作盤２１を操作して扉２２を閉じる。
【００１６】
このような立体駐車装置１０の構成において、入出庫階１５の内部壁面には非常釦２３を備え、入出庫階１５またはピット２４内には、自動通報器２５、回線接続器２６、および各機器へ電力を供給するバッテリー２７を備えている。また、立体駐車装置１０の外部には、回線接続器２６に接続されたアンテナ２８を備えるとともに、扉２２の開閉位置には扉閉検出器２９を備えている。このような構成により、入出庫階１５内に人が閉じ込められたときには以下のように動作する。
【００１７】
非常釦２３は、入出庫階１５内にいる人がこれを操作することにより自動通報器２５へ信号を発信し、また、扉閉検出器２９は、扉２２が閉じられていることを検出して、この信号を自動通報器２５へ発信する。自動通報器２５には、管理センターや保守点検員等の緊急連絡先の電子メールアドレスや、閉じ込められたことを示す送信内容等が設定されており、自動通報器２５に非常釦２３および扉閉検出器２９からの信号が共に入力されると、自動通報器２５は設定された電子メールの送信先等の信号を回線接続器２６へ発信する。この信号により回線接続器２６は、携帯電話回線やインターネット回線等の通信回線にアンテナ２８を介して接続するとともに、緊急連絡先へ電子メールを送信する。保守点検員等は、この電子メールをパーソナルコンピューターや携帯端末等により受信し、直ちに当該立体駐車装置１０へ出動したり、管理センターからの遠隔操作にて立体駐車装置１０に扉２２を開放し、立体駐車装置１０内に閉じ込められた人を救出する。
【００１８】
このように、本発明の立体駐車装置１０の緊急連絡装置は、立体駐車装置１０内に閉じ込められた人が非常釦２３を操作することにより、自動的に緊急連絡先に閉じ込められたことが送信されるので操作が容易であるとともに、緊急連絡先は速やかにこの状態、すなわち人が閉じ込められた状態を察知することができる。また、上記のように構成された各機器類は、バッテリー２７により電力が供給されて動作するので、例えば停電時であっても各機器類の動作が可能であり、さらに安全性を高めることができる。
【符号の説明】
【００１９】
１０  立体駐車装置
１１  昇降路
１２  昇降リフト
１３  搬器
１４  ワイヤロープ
１５  入出庫階
１６  入退出方向
１７  駐車室
１８  パレット
１９  車両
２０  パレット旋回装置
２１  運転操作盤
２２  扉
２３  非常釦
２４  ピット
２５  自動通報器
２６  回線接続器
２７  バッテリー
２８  アンテナ
２９  扉閉検出器
【図１】
2019027095.tif 000003
【図２】
2019027095.tif 000004
【図３】
2019027095.tif 000005